(57)【要約】【課題】部分的に陰に入る部分があっても著しく発電効率が低下することなく、安定した電力供給が可能となる太陽電池モジュールおよびこれを搭載した電子部品、電気部品、電子機器を提供する。【解決手段】全ての太陽電池セルＡ，Ｂは、行列状に配置され、前記行列の各行には、少なくとも２つ以上のセル群３が含まれるとともに、前記行列の各列には、少なくとも２つ以上のセル群３が含まれる。【選択図】図２
2010287795.tif 000002
【特許請求の範囲】
【請求項１】
２つ以上の太陽電池セルを電気的に並列に接続して構成されたセル群を２つ以上備え、
２つ以上の前記セル群を電気的に直列に接続して構成された太陽電池モジュールにおいて、
全ての前記太陽電池セルは、行列状に配置され、
前記行列の各行には、少なくとも２つ以上の前記セル群が含まれるとともに、
前記行列の各列には、少なくとも２つ以上の前記セル群が含まれることを特徴とする太陽電池モジュール。
【請求項２】
前記行列の各行には、全ての前記セル群が含まれるとともに、
前記行列の各列には、全ての前記セル群が含まれることを特徴とする請求項１に記載の太陽電池モジュール。
【請求項３】
太陽電池モジュールであって、
２つ以上の太陽電池セル、及び２つ以上の太陽電池セルを電気的に並列に接続して構成された第１セル群を２つ以上備え、
２つ以上の前記第１セル群を電気的に直列に接続して第２セル群が構成され、
前記２つ以上の太陽電池セルと前記第２セル群とを電気的に並列に接続して第３セル群が構成され、
前記第１セル群と前記第３セル群とを電気的に直列に接続して前記太陽電池モジュールが構成され、
全ての前記太陽電池セルは、行列状に配置され、
前記行列の各行には、前記第１セル群と前記第３セル群とが含まれるとともに、
前記行列の各列には、前記第１セル群と前記第３セル群とが含まれることを特徴とする太陽電池モジュール。
【請求項４】
請求項３記載の太陽電池モジュールであって、
前記行列の各行には、前記第１セル群、前記第２セル群及び前記第３セル群が含まれるとともに、
前記行列の各列には、前記第１セル群、前記第２セル群及び前記第３セル群が含まれることを特徴とする太陽電池モジュール。
【請求項５】
太陽電池モジュールであって、
２つ以上の太陽電池セル、及び２つ以上の太陽電池セルを電気的に直列に接続して構成された第１セル群を１つ以上備え、
１つ以上の太陽電池セルと１つ以上の前記第１セル群を電気的に並列に接続して第２セル群が構成され、
２つ以上の前記太陽電池セルを電気的に並列に接続して構成された第３セル群と、前記第２セル群とを電気的に直列に接続して前記太陽電池モジュールが構成され、
全ての前記太陽電池セルは、行列状に配置され、
前記行列の各行には、前記第２セル群と前記第３セル群とが含まれるとともに、
前記行列の各列には、前記第２セル群と前記第３セル群とが含まれることを特徴とする太陽電池モジュール。
【請求項６】
太陽電池モジュールであって、
２つ以上の太陽電池セル、及び２つ以上の太陽電池セルを電気的に直列に接続して構成された第１セル群を１つ以上備え、
２つ以上の前記第１セル群を電気的に並列に接続して第２セル群が構成され、
２つ以上の前記第２セル群を電気的に直列に接続して前記太陽電池モジュールが構成され、
全ての前記太陽電池セルは、行列状に配置され、
前記行列の各行には、２つ以上の前記第２セル群が含まれるとともに、
前記行列の各列には、２つ以上の前記第２セル群が含まれることを特徴とする太陽電池モジュール。
【請求項７】
請求項１〜６のいずれか１項に記載の太陽電池モジュールを備えるか、請求項１〜６のいずれか１項に記載の太陽電池モジュールから電力を供給されることを特徴とする電子部品。
【請求項８】
請求項１〜６のいずれか１項に記載の太陽電池モジュールを備えるか、請求項１〜６のいずれか１項に記載の太陽電池モジュールから電力を供給されることを特徴とする電気部品。
【請求項９】
請求項１〜６のいずれか１項に記載の太陽電池モジュールを備えるか、請求項１〜６のいずれか１項に記載の太陽電池モジュールから電力を供給されることを特徴とする電子機器。
【発明の詳細な説明】
【技術分野】
【０００１】
本発明は、太陽電池モジュールおよびこれを搭載した電子部品、電気部品、電子機器に関するものである。
【背景技術】
【０００２】
近年、省エネルギーと創エネルギーの観点より太陽光発電が注目を集めており、住宅向けの民生用太陽光発電システムなどが普及しつつある。また大型の設置タイプの太陽光発電システム以外にも携帯電話等に搭載可能な太陽電池モジュールや小型で携帯可能な太陽光発電システムが登場している。特に日照時間の長い地域などでは、緊急時の携帯電話や携帯機器への充電手段として小型の太陽電池モジュールは非常に有効である。
【０００３】
例えば特許文献１では、屋外建築物に取り付けられた際に温度上昇を低減する太陽電池モジュールが開示されている。
【先行技術文献】
【特許文献】
【０００４】
【特許文献１】特開２００９−７６６９３号公報（２００９年０４月０９日公開）
【発明の概要】
【発明が解決しようとする課題】
【０００５】
しかしながら、一般的な太陽電池モジュールでは、太陽光が完全に当たらない時のみならず、モジュールの一部のみが陰に入った場合でも著しく発電量が低下するという問題を抱えている。
【０００６】
図１４（ａ）〜（ｃ）は、一般的な太陽電池モジュール１０１における太陽電池セルＡ，Ｂの配置を示す概略図である。
【０００７】
図１４（ａ）の太陽電池モジュール１０１は、太陽電池モジュール１０１全体に光が当たり、最大限に発電を行っている状態である。図１４（ｂ）の太陽電池モジュール１０１は、太陽電池モジュール１０１の左１／２の領域α、または太陽電池モジュール１０１の右１／２の領域βが陰に入った状態である。図１４（ｃ）の太陽電池モジュール１０１は、太陽電池モジュールの上１／２の領域γ、または太陽電池モジュール１０１の下１／２の領域δが陰に入った状態である。
【０００８】
太陽電池モジュール１０１の内部回路の概略図は図１５に示す通りである。図１５において、符号Ａが太陽電池セルＡを表し、符号Ｂが太陽電池セルＢを表す。図１５の内部回路では、太陽電池セルＡの２つの負極は、引き出し電極１０９に接続されている。太陽電池セルＢの２つの正極は、引き出し電極１１０に接続されている。太陽電池セルＡの２つの正極と、太陽電池セルＢの２つの負極とは、互いに接続されている。
【０００９】
図１６は、図１４（ａ）〜（ｃ）に示す状態の太陽電池モジュール１０１における出力電力を示すグラフである。図１６において、曲線１０４は、図１４（ａ）の太陽電池モジュール１０１の出力電力を示している。
【００１０】
曲線１０５は、図１４（ｂ）の太陽電池モジュール１０１の出力電力を示している。曲線１０５に示されるように、左１／２の領域αまたは右１／２の領域βが陰に入った場合の発電量は、陰に入っていない場合の発電量（曲線１０４）の約１／２となる。
【００１１】
一方、曲線１０６は、図１４（ｃ）の太陽電池モジュール１０１の出力電力を示している。曲線１０６に示されるように、上１／２の領域γまたは下１／２の領域δが陰に入った場合の発電量は、陰に入っていない場合の発電量の１／２（曲線１０５）よりも著しく小さくなる。
【００１２】
ここで、図１７は、他の一般的な太陽電池モジュール１０７における太陽電池セルＡ，Ｂの配置を示す概略図である。太陽電池モジュール１０７は、図１４に示される太陽電池モジュール１０１を反時計回りに９０度回転した状態である。太陽電池モジュールで１０７は、左１／２の領域αまたは右１／２の領域βが陰に入った場合の発電量は、陰に入っていない場合の発電量の１／２（図１６の曲線１０５）よりも著しく小さくなる。また、上１／２の領域γまたは下１／２の領域δが陰に入った場合の発電量は、陰に入っていない場合の発電量の約１／２（図１６の曲線１０５）となる。
【００１３】
このように、一般的なセル配置の太陽電池モジュールにおいては、一部が陰に入っただけでも著しく発電量が低下してしまうという問題がある。
【００１４】
本発明は、上記の問題点に鑑みてなされたものであり、その目的は、部分的に陰に入る部分があっても著しく発電効率が低下することなく、安定した電力供給が可能となる太陽電池モジュールおよびこれを搭載した電子部品、電気部品、電子機器を提供することにある。
【課題を解決するための手段】
【００１５】
本発明の太陽電池モジュールは、上記課題を解決するために、２つ以上の太陽電池セルを電気的に並列に接続して構成されたセル群を２つ以上備え、２つ以上の前記セル群を電気的に直列に接続して構成された太陽電池モジュールにおいて、全ての前記太陽電池セルは、行列状に配置され、前記行列の各行には、少なくとも２つ以上の前記セル群が含まれるとともに、前記行列の各列には、少なくとも２つ以上の前記セル群が含まれることを特徴とする。
【００１６】
上記発明によれば、上記太陽電池モジュールの一部が陰に入り、上記行列の１行または上記行列の１列にしか太陽光が完全に当たらない場合でも、太陽光が完全に当たる上記行列の１行または上記行列の１列には、少なくとも２つ以上の前記セル群が含まれる。よって、複数の前記セル群の内、太陽光が完全に当たらない前記セル群は１つもない。従って、部分的に陰に入る部分があっても著しく発電効率が低下することなく、安定した電力供給が可能となる太陽電池モジュールを提供することが出来る。
【００１７】
上記太陽電池モジュールでは、前記行列の各行には、全ての前記セル群が含まれるとともに、前記行列の各列には、全ての前記セル群が含まれてもよい。
【００１８】
本発明の太陽電池モジュールは、上記課題を解決するために、太陽電池モジュールであって、２つ以上の太陽電池セル、及び２つ以上の太陽電池セルを電気的に並列に接続して構成された第１セル群を２つ以上備え、２つ以上の前記第１セル群を電気的に直列に接続して第２セル群が構成され、前記２つ以上の太陽電池セルと前記第２セル群とを電気的に並列に接続して第３セル群が構成され、前記第１セル群と前記第３セル群とを電気的に直列に接続して前記太陽電池モジュールが構成され、全ての前記太陽電池セルは、行列状に配置され、前記行列の各行には、前記第１セル群と前記第３セル群とが含まれるとともに、前記行列の各列には、前記第１セル群と前記第３セル群とが含まれることを特徴とする。
【００１９】
上記発明によれば、上記太陽電池モジュールの一部が陰に入り、上記行列の１行または上記行列の１列にしか太陽光が完全に当たらない場合でも、太陽光が完全に当たる上記行列の１行または上記行列の１列には、前記第１セル群と前記第３セル群とが含まれる。よって、前記第１セル群と前記第３セル群との内、太陽光が完全に当たらない前記セル群は１つもない。従って、部分的に陰に入る部分があっても著しく発電効率が低下することなく、安定した電力供給が可能となる太陽電池モジュールを提供することが出来る。
【００２０】
上記太陽電池モジュールでは、前記行列の各行には、前記第１セル群、前記第２セル群及び前記第３セル群が含まれるとともに、前記行列の各列には、前記第１セル群、前記第２セル群及び前記第３セル群が含まれてもよい。
【００２１】
本発明の太陽電池モジュールは、上記課題を解決するために、太陽電池モジュールであって、２つ以上の太陽電池セル、及び２つ以上の太陽電池セルを電気的に直列に接続して構成された第１セル群を１つ以上備え、１つ以上の太陽電池セルと１つ以上の前記第１セル群を電気的に並列に接続して第２セル群が構成され、２つ以上の前記太陽電池セルを電気的に並列に接続して構成された第３セル群と、前記第２セル群とを電気的に直列に接続して前記太陽電池モジュールが構成され、全ての前記太陽電池セルは、行列状に配置され、前記行列の各行には、前記第２セル群と前記第３セル群とが含まれるとともに、前記行列の各列には、前記第２セル群と前記第３セル群とが含まれることを特徴とする。
【００２２】
上記発明によれば、上記太陽電池モジュールの一部が陰に入り、上記行列の１行または上記行列の１列にしか太陽光が完全に当たらない場合でも、太陽光が完全に当たる上記行列の１行または上記行列の１列には、前記第２セル群と前記第３セル群とが含まれる。よって、前記第２セル群と前記第３セル群との内、太陽光が完全に当たらない前記セル群は１つもない。従って、部分的に陰に入る部分があっても著しく発電効率が低下することなく、安定した電力供給が可能となる太陽電池モジュールを提供することが出来る。
【００２３】
本発明の太陽電池モジュールは、上記課題を解決するために、太陽電池モジュールであって、２つ以上の太陽電池セル、及び２つ以上の太陽電池セルを電気的に直列に接続して構成された第１セル群を１つ以上備え、２つ以上の前記第１セル群を電気的に並列に接続して第２セル群が構成され、２つ以上の前記第２セル群を電気的に直列に接続して前記太陽電池モジュールが構成され、全ての前記太陽電池セルは、行列状に配置され、前記行列の各行には、２つ以上の前記第２セル群が含まれるとともに、前記行列の各列には、２つ以上の前記第２セル群が含まれることを特徴とする。
【００２４】
上記発明によれば、上記太陽電池モジュールの一部が陰に入り、上記行列の１行または上記行列の１列にしか太陽光が完全に当たらない場合でも、太陽光が完全に当たる上記行列の１行または上記行列の１列には、２つ以上の前記第２セル群が含まれる。よって、太陽光が完全に当たらない前記第２セル群は１つもない。従って、部分的に陰に入る部分があっても著しく発電効率が低下することなく、安定した電力供給が可能となる太陽電池モジュールを提供することが出来る。
【００２５】
本発明の電子部品、本発明の電気部品及び本発明の電子機器は、上記いずれかの太陽電池モジュールを備えているか、上記いずれかの太陽電池モジュールから電力を供給されるので、太陽電池モジュールに部分的に陰に入る部分があっても著しく発電効率が低下することなく、安定した電力を供給される。
【発明の効果】
【００２６】
本発明の太陽電池モジュールは、以上のように、全ての太陽電池セルは、行列状に配置され、前記行列の各行には、少なくとも２つ以上のセル群が含まれるとともに、前記行列の各列には、少なくとも２つ以上の前記セル群が含まれるものである。
【００２７】
また、本発明の太陽電池モジュールは、以上のように、太陽電池モジュールであって、２つ以上の太陽電池セル、及び２つ以上の太陽電池セルを電気的に並列に接続して構成された第１セル群を２つ以上備え、２つ以上の前記第１セル群を電気的に直列に接続して第２セル群が構成され、前記２つ以上の太陽電池セルと前記第２セル群とを電気的に並列に接続して第３セル群が構成され、前記第１セル群と前記第３セル群とを電気的に直列に接続して前記太陽電池モジュールが構成され、全ての前記太陽電池セルは、行列状に配置され、前記行列の各行には、前記第１セル群と前記第３セル群とが含まれるとともに、前記行列の各列には、前記第１セル群と前記第３セル群とが含まれるものである。
【００２８】
さらに、本発明の太陽電池モジュールは、以上のように、太陽電池モジュールであって、２つ以上の太陽電池セル、及び２つ以上の太陽電池セルを電気的に直列に接続して構成された第１セル群を１つ以上備え、１つ以上の太陽電池セルと１つ以上の前記第１セル群を電気的に並列に接続して第２セル群が構成され、２つ以上の前記太陽電池セルを電気的に並列に接続して構成された第３セル群と、前記第２セル群とを電気的に直列に接続して前記太陽電池モジュールが構成され、全ての前記太陽電池セルは、行列状に配置され、前記行列の各行には、前記第２セル群と前記第３セル群とが含まれるとともに、前記行列の各列には、前記第２セル群と前記第３セル群とが含まれるものである。
【００２９】
そして、本発明の太陽電池モジュールは、以上のように、太陽電池モジュールであって、２つ以上の太陽電池セル、及び２つ以上の太陽電池セルを電気的に直列に接続して構成された第１セル群を１つ以上備え、２つ以上の前記第１セル群を電気的に並列に接続して第２セル群が構成され、２つ以上の前記第２セル群を電気的に直列に接続して前記太陽電池モジュールが構成され、全ての前記太陽電池セルは、行列状に配置され、前記行列の各行には、２つ以上の前記第２セル群が含まれるとともに、前記行列の各列には、２つ以上の前記第２セル群が含まれるものである。
【００３０】
それゆえ、部分的に陰に入る部分があっても著しく発電効率が低下することなく、安定した電力供給が可能となる太陽電池モジュールおよびこれを搭載した電子部品、電気部品、電子機器を提供するという効果を奏する。
【図面の簡単な説明】
【００３１】
【図１】本発明の実施形態に係る太陽電池モジュールの概略図である。
【図２】本発明の実施形態に係る太陽電池モジュールにおける太陽電池セルの配置を示す概略図である。
【図３】本発明の実施形態に係る太陽電池モジュールの内部回路の概略図である。
【図４】本発明の実施形態に係る太陽電池モジュールの太陽電池セルの配置に対応する、モジュール基板上のパターンの例を示す図である。
【図５】本発明の実施形態に係る他の太陽電池モジュールの内部回路の概略図である。
【図６】（ａ）及び（ｂ）は、本発明の実施形態に係るさらに別の太陽電池モジュールの内部回路の概略図である。
【図７】本発明の他の実施形態に係る太陽電池モジュールの概略図である。
【図８】（ａ）〜（ｃ）は、一般的な太陽電池モジュールにおける太陽電池セルの配置を示す概略図である。
【図９】一般的な太陽電池モジュールの内部回路の概略図である。
【図１０】本発明の他の実施形態に係る太陽電池モジュールにおける太陽電池セルの配置を示す概略図である。
【図１１】本発明の他の実施形態に係る太陽電池モジュールの内部回路の概略図である。
【図１２】本発明の他の実施形態に係る太陽電池モジュールの太陽電池セルの配置に対応する、モジュール基板上のパターンの例を示す図である。
【図１３】（ａ）〜（ｆ）は、本発明のさらに別の実施形態に係る太陽電池モジュールにおける太陽電池セルの配置を示す概略図である。
【図１４】（ａ）〜（ｃ）は、一般的な太陽電池モジュールにおける太陽電池セルの配置を示す概略図である。
【図１５】一般的な太陽電池モジュールの内部回路の概略図である。
【図１６】図１４（ａ）〜（ｃ）に示す状態の太陽電池モジュールにおける出力電力を示すグラフである。
【図１７】他の一般的な太陽電池モジュールにおける太陽電池セルの配置を示す概略図である。
【発明を実施するための形態】
【００３２】
〔実施の形態１〕
本発明の一実施形態についておよび図１〜図６に基づいて説明すると以下の通りである。
【００３３】
図１は、本発明の実施形態に係る太陽電池モジュール（太陽電池セルモジュール）１の概略図である。太陽電池モジュール１は、太陽電池セル２を４つ備えており、太陽電池セル２を２つ並列に接続してセル群３（セル群）が構成されている。そして２つのセル群３が直列に接続されている。太陽電池モジュール１を、２並２直の太陽電池モジュールと称する。
【００３４】
太陽電池モジュール１において、各々の太陽電池セル２と、モジュール基板５上に形成されている基板上ランド６とは、ボンディングワイヤ４を介して接続されている。また、太陽電池モジュール１においてモジュール基板５上に形成されている引き出し電極７，８は、太陽電池モジュール１と、太陽電池モジュール１を搭載する、または太陽電池モジュール１から電力を供給される、電子部品、電気部品及び電子機器とを電気的に接続するための電極である。引き出し電極７，８は、太陽電池モジュール１と他の太陽電池モジュールとを電気的に接続してもよい。
【００３５】
本発明の実施形態に係る太陽電池モジュール１における太陽電池セルの配置は、図２（ａ）〜（ｃ）の太陽電池モジュール１に示す通りである。図２の符号Ａ，Ｂは、それぞれ太陽電池セル２を表している。これ以降は、符号Ａに対応する太陽電池セル２を太陽電池セルＡと称し、符号Ｂに対応する太陽電池セル２を太陽電池セルＢと称する。２つの太陽電池セルＡが電気的には並列に接続されてセル群３が構成される。太陽電池セルＡと同様に、２つの太陽電池セルＢが電気的には並列に接続されてセル群３が構成されている。
【００３６】
図２（ａ）〜（ｃ）の太陽電池モジュール１において、Ｘ方向を行方向、Ｙ方向を列方向と称する時、太陽電池モジュール１では太陽電池セルＡ，Ｂがマトリクス状（行列状）に配置されている。この時、太陽電池モジュール１において、前記行列の各行には、少なくとも２つ以上のセル群３が含まれるとともに、前記行列の各列には、少なくとも２つ以上のセル群３が含まれる。よって、太陽電池モジュール１の一部が陰に入り、上記行列の１行または上記行列の１列にしか太陽光が完全に当たらない場合でも、太陽光が完全に当たる上記行列の１行または上記行列の１列には、少なくとも２つ以上のセル群３が含まれる。よって、複数のセル群３の内、太陽光が完全に当たらないセル群３は１つもない。従って、部分的に陰に入る部分があっても著しく発電効率が低下することなく、安定した電力供給が可能となる太陽電池モジュールを提供することが出来る。
【００３７】
本発明の実施形態に係る太陽電池モジュール１の内部回路の概略図は図３に示す通りである。図３において、符号Ａが太陽電池セルＡを表し、符号Ｂが太陽電池セルＢを表す。図３の内部回路では、太陽電池セルＡの２つの負極は、引き出し電極７に接続されている。太陽電池セルＢの２つの正極は、引き出し電極８に接続されている。太陽電池セルＡの２つの正極と、太陽電池セルＢの２つの負極とは、互いに接続されている。
【００３８】
図１４（ａ）の従来の太陽電池モジュール１０１全体に光が当たり、最大限に発電を行っている状態での発電量は、図１６の曲線１０４に示した通りである。図１４（ｂ）に示す従来の太陽電池モジュール１０１の太陽電池セルの配置では、左１／２の領域αまたは右１／２の領域βが陰に入った場合の発電量は、陰に入っていない場合の発電量の約１／２（図１６の曲線１０５）となる。一方、図１４（ｃ）に示す従来の太陽電池モジュール１０１の太陽電池セルの配置では、上１／２の領域γまたは下１／２の領域δが陰に入った場合の発電量は、図１６の曲線１０６に示したように、陰に入っていない場合の発電量の１／２（図１６の曲線１０５）よりも著しく小さくなる。
【００３９】
一方、図２（ａ）の本発明の実施形態に係る太陽電池モジュール１全体に光が当たり、最大限に発電を行っている状態での発電量は、図１６の曲線１０４に示した通りである。図２（ｂ）に示す太陽電池モジュール１の太陽電池セルの配置では、左１／２の領域αまたは右１／２の領域βが陰に入った場合の発電量は、陰に入っていない場合の発電量の約１／２（図１６の曲線１０５）となる。そして、図２（ｃ）に示す従来の太陽電池モジュール１０１の太陽電池セルの配置では、上１／２の領域γまたは下１／２の領域δが陰に入った場合の発電量は、図２（ｂ）の場合と同様に、陰に入っていない場合の発電量の約１／２（図１６の曲線１０５）となる。
【００４０】
このように、太陽電池モジュール１では、上１／２の領域γまたは下１／２の領域δが陰に入った場合の発電量は、左１／２の領域αまたは右１／２の領域βが陰に入った場合と同様に、陰に入っていない場合の発電量の約１／２（図１６の曲線１０５）となる。
【００４１】
従って、本実施の形態１の太陽電池モジュール１では、太陽電池モジュール１の一部が陰に入った場合でも、従来の太陽電池モジュール１０１におけるような著しい発電量の低下がなく、安定した電力供給が可能である。
【００４２】
図４は、本発明の実施形態に係る太陽電池モジュール１の太陽電池セル２の配置に対応する、モジュール基板５上のパターン９の例を示す図である。符号２’は、太陽電池セル２が配置される場所を示している。
【００４３】
ここで、図３において、電気的に並列に接続された太陽電池セルＡに、セル群３（第１セル群）を２つ電気的に直列に接続して構成されたセル群１１（第２セル群）を電気的に並列に接続して太陽電池モジュール２０を構成してもよい。図５は太陽電池モジュール２０の内部回路の概略図である。
【００４４】
太陽電池モジュール２０では、電気的に並列に接続された２つの太陽電池セルＥからなるセル群３と、電気的に並列に接続された２つの太陽電池セルＦからなるセル群３とを電気的に直列に接続し、セル群１１（第２セル群）が構成されている。次に、セル群１１と２つの太陽電池セルＡとを電気的に並列に接続し、セル群１２（第３セル群）が構成されている。そして、電気的に並列に接続された２つの太陽電池セルＢからなるセル群３と、セル群１２とを電気的に直列に接続して太陽電池モジュール２０が構成されている。
【００４５】
太陽電池モジュール２０において、全ての太陽電池セルＡ，Ｂ，Ｅ，Ｆは、行列状に配置され、前記行列の各行には、電気的に並列に接続された２つの太陽電池セルＢからなるセル群３と、セル群１２とが含まれるとともに、前記行列の各列には、電気的に並列に接続された２つの太陽電池セルＢからなるセル群３と、セル群１２とが含まれる。
【００４６】
上記構成によれば、太陽電池モジュール２０の一部が陰に入り、上記行列の１行または上記行列の１列にしか太陽光が完全に当たらない場合でも、太陽光が完全に当たる上記行列の１行または上記行列の１列には、電気的に並列に接続された２つの太陽電池セルＢからなるセル群３と、セル群１２とが含まれる。よって、セル群３とセル群１２との内、太陽光が完全に当たらないセル群は１つもない。従って、部分的に陰に入る部分があっても著しく発電効率が低下することなく、安定した電力供給が可能となる太陽電池モジュールを提供することが出来る。
【００４７】
なお、太陽電池モジュール２０において、セル群１２では２つの太陽電池セルＡが電気的に並列に接続されているが、セル群１２において２つ以上の太陽電池セルＡを電気的に並列に接続してもよい。
【００４８】
太陽電池モジュール１では、前記行列の各行には、全てのセル群３が含まれるとともに、前記行列の各列には、全てのセル群３が含まれてもよい。
【００４９】
また、太陽電池モジュール２０では、前記行列の各行には、セル群３、セル群１１及びセル群１２が含まれるとともに、前記行列の各列には、セル群３、セル群１１及びセル群１２が含まれてもよい。
【００５０】
さらに、２つ以上の太陽電池セルを電気的に直列に接続したセル群を用いて太陽電池モジュールを構成してもよい。図６（ａ）は太陽電池モジュール２１の内部回路の概略図であり、図６（ｂ）は太陽電池モジュール２２の内部回路の概略図である。
【００５１】
太陽電池モジュール２１では、電気的に直列に接続された２つの太陽電池セルＡからなるセル群３０（第１セル群）と、太陽電池セルＥとを電気的に並列に接続し、セル群３１（第２セル群）が構成されている。次に、電気的に並列に接続された２つの太陽電池セルＢからなるセル群３２（第３セル群）とセル群３１とを電気的に直列に接続して太陽電池モジュール２１が構成されている。
【００５２】
太陽電池モジュール２１において、全ての太陽電池セルＡ，Ｂ，Ｅは、行列状に配置され、前記行列の各行には、セル群３１とセル群３２とが含まれるとともに、前記行列の各列には、セル群３１とセル群３２とが含まれる。
【００５３】
上記構成によれば、太陽電池モジュール２１の一部が陰に入り、上記行列の１行または上記行列の１列にしか太陽光が完全に当たらない場合でも、太陽光が完全に当たる上記行列の１行または上記行列の１列には、セル群３１とセル群３２とが含まれる。よって、セル群３１とセル群３２との内、太陽光が完全に当たらないセル群は１つもない。従って、部分的に陰に入る部分があっても著しく発電効率が低下することなく、安定した電力供給が可能となる太陽電池モジュールを提供することが出来る。
【００５４】
太陽電池モジュール２２では、電気的に直列に接続された２つの太陽電池セルＡからなるセル群３０（第１セル群）を１つ以上備え、２つ以上のセル群３０を電気的に並列に接続してセル群３１（第２セル群）が構成されている。次に、２つ以上のセル群３１を電気的に直列に接続して太陽電池モジュール２２が構成されている。
【００５５】
太陽電池モジュール２２において、全ての太陽電池セルＡは、行列状に配置され、前記行列の各行には、２つ以上のセル群３１が含まれるとともに、前記行列の各列には、２つ以上のセル群３１が含まれる。
【００５６】
上記構成によれば、太陽電池モジュール２２の一部が陰に入り、上記行列の１行または上記行列の１列にしか太陽光が完全に当たらない場合でも、太陽光が完全に当たる上記行列の１行または上記行列の１列には、２つ以上のセル群３１が含まれる。よって、太陽光が完全に当たらないセル群３１は１つもない。従って、部分的に陰に入る部分があっても著しく発電効率が低下することなく、安定した電力供給が可能となる太陽電池モジュールを提供することが出来る。
【００５７】
〔実施の形態２〕
本発明の他の実施形態についておよび図７〜図１２に基づいて説明すると以下の通りである。なお、本実施形態において説明すること以外の構成は、前記実施の形態１と同じである。また、説明の便宜上、前記実施の形態１の図面に示した部材と同一の機能を有する部材については、同一の符号を付し、その説明を省略する。
【００５８】
図７は、本発明の他の実施形態に係る太陽電池モジュール１０の概略図である。太陽電池モジュール１０は、太陽電池セル２を１０個備えており、太陽電池セル２を５つ並列に接続してセル群３が構成されている。そして２つのセル群３が直列に接続されている。太陽電池モジュール１０を、５並２直の太陽電池モジュールと称する。
【００５９】
従来の５並２直の太陽電池モジュール１０８における太陽電池セルの配置は、図８（ａ）〜（ｃ）の太陽電池モジュール１０８に示す通りである。本発明の他の実施形態に係る太陽電池モジュール１０における太陽電池セルの配置は、図１０（ａ）〜（ｃ）の太陽電池モジュール１０に示す通りである。
【００６０】
従来の太陽電池モジュール１０１の内部回路の概略図は図９に示す通りである。図９において、符号Ａが太陽電池セルＡを表し、符号Ｂが太陽電池セルＢを表す。図９の内部回路では、太陽電池セルＡの５つの負極は、引き出し電極１０９に接続されている。太陽電池セルＢの５つの正極は、引き出し電極１１０に接続されている。太陽電池セルＡの５つの正極と、太陽電池セルＢの５つの負極とは、互いに接続されている。
【００６１】
本発明の他の実施形態に係る太陽電池モジュール１０の内部回路の概略図は図１１に示す通りである。図１１において、符号Ａが太陽電池セルＡを表し、符号Ｂが太陽電池セルＢを表す。図１１の内部回路では、太陽電池セルＡの５つの負極は、引き出し電極７に接続されている。太陽電池セルＢの５つの正極は、引き出し電極８に接続されている。太陽電池セルＡの５つの正極と、太陽電池セルＢの５つの負極とは、互いに接続されている。
【００６２】
図８（ｂ）に示すように、従来の太陽電池モジュール１０８の左３／５の領域α２、または太陽電池モジュール１０８の右３／５の領域β２が陰に入った場合、陰に入っていない場合（図８（ａ））に比べ、約２／５の発電量となる。これは太陽光が当たる領域が１−３／５＝２／５となるためである。また、図８（ｃ）に示すように、太陽電池モジュール１０８の上１／２の領域γ２、または太陽電池モジュール１０８の下１／２の領域δ２が陰に入った場合には、陰に入っていない場合の１／２よりも著しく小さな発電量となる。
【００６３】
一方、図１０（ｂ）に示すように、本発明の他の実施形態に係る太陽電池モジュール１０の左３／５の領域α２、または太陽電池モジュール１０の右３／５の領域β２が陰に入った場合、陰に入っていない場合（図１０（ａ））に比べ、約２／５の発電量となる。また、図１０（ｃ）に示すように、太陽電池モジュール１０の上１／２の領域γ２、または太陽電池モジュール１０のあるいは下１／２の領域δ２が陰に入った場合も、図１０（ｂ）と同様に、陰に入っていない場合の約１／２の発電量となる。
【００６４】
従って、本実施の形態２の太陽電池モジュール１０では、太陽電池モジュール１０の一部が陰に入った場合でも、従来の太陽電池モジュール１０８におけるような著しい発電量の低下がなく、安定した電力供給が可能である。
【００６５】
図１２は、本発明の他の実施形態に係る太陽電池モジュール１０の太陽電池セル２の配置に対応する、モジュール基板５上のパターン９の例を示す図である。符号２’は、太陽電池セル２が配置される場所を示している。また、モジュール基板５に貫通孔を設け、２層以上の配線層を有するモジュール基板５とすることで、パターン９の引き回しを簡略化可能である。また、より複雑な太陽電池セル配置が可能となる。
【００６６】
〔実施の形態３〕
本発明のさらに別の実施形態についておよび図１３に基づいて説明すると以下の通りである。なお、本実施形態において説明すること以外の構成は、前記実施の形態１，２と同じである。また、説明の便宜上、前記実施の形態１，２の図面に示した部材と同一の機能を有する部材については、同一の符号を付し、その説明を省略する。
【００６７】
図１３（ａ）〜（ｆ）は、本発明のさらに別の実施形態に係る太陽電池モジュール１１〜１６における太陽電池セルの配置を示す概略図である。図１３（ａ）〜（ｆ）の符号Ｃ，Ｄは、符号Ａ，Ｂと同様に太陽電池セルを示す。
【００６８】
いずれの太陽電池モジュールにおいても、太陽電池モジュールの一部が陰に入った場合でも、従来の太陽電池モジュールにおけるような著しい発電量の低下がなく、安定した電力供給が可能である。
【００６９】
なお、実施の形態１〜３における太陽電池セルＡ〜Ｆは、それぞれの実施の形態においてセル群を構成しており、それぞれの実施の形態で独立している。また、実施の形態１〜３において、各セル群は２つ以上の太陽電池セルを電気的に並列に接続して構成されている。しかし、実施の形態１において図６（ａ）と図６（ｂ）とを示して上述したように、２つ以上の太陽電池セルを電気的に直列に接続したセル群３０（第１セル群）を電気的に並列に接続して構成されてもよい。
【００７０】
本発明の電子部品、本発明の電気部品及び本発明の電子機器は、上記いずれかの太陽電池モジュールを備えているか、上記いずれかの太陽電池モジュールから電力を供給されるので、太陽電池モジュールに部分的に陰に入る部分があっても著しく発電効率が低下することなく、安定した電力を供給される。
【００７１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７２】
本発明は、部分的に陰に入る部分があっても著しく発電効率が低下することなく、安定した電力供給が可能となるので、太陽光などの光により発電を行う太陽電池モジュール、光発電システム、およびそれらを搭載する、電子部品、電気部品及び電子機器に好適に用いることが出来る。
【符号の説明】
【００７３】
１，１０〜１６  太陽電池モジュール
２  太陽電池セル
３  セル群  （セル群、第１セル群）
４  ボンディングワイヤ
５  モジュール基板
６  基板上ランド
７，８  引き出し電極
９  パターン
Ａ〜Ｆ  太陽電池セル
１１  セル群（第２セル群）
１２  セル群（第３セル群）
２０〜２２  太陽電池モジュール
３０  セル群（第１セル群）
３１  セル群（第２セル群）
３２  セル群（第３セル群）
α，α２，β，β２，γ，γ２，δ，δ２  領域
【図１】
2010287795.tif 000003
【図２】
2010287795.tif 000004
【図４】
2010287795.tif 000005
【図５】
2010287795.tif 000006
【図６】
2010287795.tif 000007
【図７】
2010287795.tif 000008
【図８】
2010287795.tif 000009
【図９】
2010287795.tif 000010
【図１０】
2010287795.tif 000011
【図１１】
2010287795.tif 000012
【図１３】
2010287795.tif 000013
【図１４】
2010287795.tif 000014
【図１５】
2010287795.tif 000015
【図３】
2010287795.tif 000016
【図１２】
2010287795.tif 000017
【図１６】
2010287795.tif 000018
【図１７】
2010287795.tif 000019